(57)【要約】【課題】かつらベースの開口部に配置された蓑毛ユニットを備えるかつら及びかつらの製造方法において、蓑毛用毛髪の毛流れを簡単かつ確実に固定する。【解決手段】かつら１は、開口部１１を含むかつらベース１０と、かつらベース１０に植毛されたベース用毛髪２０と、蓑毛用ベース３１と蓑毛用ベース３１に取り付けられた複数の蓑毛用毛髪３２とを含み、開口部１１に架け渡された蓑毛ユニット３０と、蓑毛ユニット３０の蓑毛用ベース３１と交差する方向に開口部１１に架け渡され蓑毛ユニット３０を固定する蓑毛固定部材４０と、を備える。【選択図】図１
2014159656.tif 000002
【特許請求の範囲】
【請求項１】
開口部を含むかつらベースと、
前記かつらベースに植毛されたベース用毛髪と、
蓑毛用ベースと該蓑毛用ベースに取り付けられた複数の蓑毛用毛髪とを含み、前記開口部に架け渡された蓑毛ユニットと、
前記蓑毛ユニットの前記蓑毛用ベースと交差するように前記開口部に架け渡され前記蓑毛ユニットを固定する蓑毛固定部材と、
を備えることを特徴とするかつら。
【請求項２】
前記蓑毛固定部材は、該蓑毛固定部材の長手方向に延びる複数の縦糸と、該複数の縦糸間に架け渡された横糸と、を含むことを特徴とする請求項１記載のかつら。
【請求項３】
前記蓑毛ユニットは、前記蓑毛用ベースの向きが変化するように前記蓑毛固定部材に対し固定されていることを特徴とする請求項１又は請求項２記載のかつら。
【請求項４】
前記蓑毛ユニットは、前記蓑毛用ベースが一直線状になるように前記開口部に架け渡されていることを特徴とする請求項１又は請求項２記載のかつら。
【請求項５】
前記蓑毛ユニットは、前記蓑毛固定部材に対し複数箇所で固定されていることを特徴とする請求項１から請求項４のいずれか１項記載のかつら。
【請求項６】
前記蓑毛固定部材は、互いに間隔を隔てて複数個配置されていることを特徴とする請求項１から請求項５のいずれか１項記載のかつら。
【請求項７】
前記蓑毛ユニットは、互いに間隔を隔てて複数個配置されていることを特徴とする請求項１から請求項６のいずれか１項記載のかつら。
【請求項８】
蓑毛用ベースと該蓑毛用ベースに取り付けられた複数の蓑毛用毛髪とを含む蓑毛ユニットを、ベース用毛髪が植毛されるかつらベースの開口部に架け渡し、
前記蓑毛ユニットの前記蓑毛用ベースと交差するように前記開口部に架け渡した蓑毛固定部材により前記蓑毛ユニットを固定する、
ことを特徴とするかつらの製造方法。
【発明の詳細な説明】
【技術分野】
【０００１】
本発明は、蓑毛ユニットを備えるかつら、及び、かつらの製造方法に関する。
【背景技術】
【０００２】
従来、かつらの増毛用にかつらベースに配置される蓑毛ユニットが知られている。この蓑毛ユニットは、例えば線状の蓑毛用ベースと、この蓑毛用ベースに植毛された複数の蓑毛用毛髪と、を含む。（例えば、特許文献１〜３参照）
また、かつら装着者の頭髪を引き出すため或いは通気性を確保するために、かつらベースに開口部を設けたかつらが知られている（例えば、特許文献４及び５参照）。
【先行技術文献】
【特許文献】
【０００３】
【特許文献１】特開平０８−１３４７０９号公報
【特許文献２】特開２０００−３０３２４０号公報
【特許文献３】特開２００４−６００６０号公報
【特許文献４】特開平１１−１０７０２４号公報
【特許文献５】特許第４１１２３０２号公報
【発明の概要】
【発明が解決しようとする課題】
【０００４】
ところで、上記の蓑毛ユニットを用いてかつらを製造する場合、蓑毛ユニットをかつらベースの必要な部位に必要なだけ貼り合わせることで容易にかつらを製造することが出来る。
【０００５】
また、蓑毛ユニットを用いてかつらを製造する場合、低コストでかつらを製造できることや、後から異なる毛色のみの毛を付け足すことでヘアスタイルをアレンジしたり、毛量を増加したりすることができること等のメリットがある。
【０００６】
蓑毛ユニットは、蓑毛用毛髪が例えば線状の蓑毛用ベースに取り付けられているため、かつらベースの開口部に配置された場合、蓑毛用毛髪が蓑毛用ベースを中心に回転したり蓑毛用ベース自体が回転したりする。そのため、蓑毛用毛髪の立ち上がりや向きを固定することが難しい。そこで、蓑毛用毛髪が一定方向に向くように蓑毛ユニットを設置した後に、パンチアイロンなどを用いて蓑毛用毛髪をセットすることになる。
【０００７】
本発明の目的は、かつらベースの開口部に配置された蓑毛ユニットを備えるかつら及びかつらの製造方法において、蓑毛用毛髪の毛流れを簡単かつ確実に固定することができるかつらを提供することである。
【課題を解決するための手段】
【０００８】
本発明のかつらは、開口部を含むかつらベースと、上記かつらベースに植毛されたベース用毛髪と、蓑毛用ベースとこの蓑毛用ベースに取り付けられた複数の蓑毛用毛髪とを含み、上記開口部に架け渡された蓑毛ユニットと、上記蓑毛ユニットの上記蓑毛用ベースと交差するように上記開口部に架け渡され上記蓑毛ユニットを固定する蓑毛固定部材と、を備える。
【０００９】
また、上記かつらにおいて、上記蓑毛固定部材は、この蓑毛固定部材の長手方向に延びる複数の縦糸と、これら複数の縦糸間に架け渡された横糸と、を含むようにしてもよい。
【００１０】
また、上記かつらにおいて、上記蓑毛ユニットは、上記蓑毛用ベースの向きが変化するように上記蓑毛固定部材に対し固定されているようにしてもよい。
【００１１】
また、上記かつらにおいて、上記蓑毛ユニットは、上記蓑毛用ベースが一直線状になるように上記開口部に架け渡されているようにしてもよい。
【００１２】
また、上記かつらにおいて、上記蓑毛ユニットは、上記蓑毛固定部材に対し複数箇所で固定されているようにしてもよい。
【００１３】
また、上記かつらにおいて、上記蓑毛固定部材は、互いに間隔を隔てて複数個配置されているようにしてもよい。
【００１４】
また、上記かつらにおいて、上記蓑毛ユニットは、互いに間隔を隔てて複数個配置されているようにしてもよい。
【００１５】
本発明のかつらの製造方法は、蓑毛用ベースと該蓑毛用ベースに取り付けられた複数の蓑毛用毛髪とを含む蓑毛ユニットを、ベース用毛髪が植毛されるかつらベースの開口部に架け渡し、前記蓑毛ユニットの前記蓑毛用ベースと交差するように前記開口部に架け渡した蓑毛固定部材により前記蓑毛ユニットを固定する。
【発明の効果】
【００１６】
本発明によれば、かつらベースの開口部に配置された蓑毛ユニットを備えるかつらにおいて、蓑毛用毛髪の毛流れを簡単かつ確実に固定することができる。
【図面の簡単な説明】
【００１７】
【図１】実施の形態に係るかつらを示す概略図である。
【図２Ａ】実施の形態における蓑毛ユニットの製造方法を説明するための説明図（その１）である。
【図２Ｂ】実施の形態における蓑毛ユニットの製造方法を説明するための説明図（その２）である。
【図２Ｃ】実施の形態における蓑毛ユニットの製造方法を説明するための説明図（その３）である。
【図３】実施の形態における蓑毛ユニットと蓑毛固定部材との固定箇所を説明するための説明図（その１）である。
【図４】実施の形態における蓑毛ユニットと蓑毛固定部材との固定箇所を説明するための説明図（その２）である。
【発明を実施するための形態】
【００１８】
以下、本発明の実施の形態に係るかつら１について、図面を参照しながら説明する。
【００１９】
図１は、実施の形態に係るかつら１を示す概略図である。
【００２０】
かつら１は、かつらベース１０と、ベース用毛髪２０と、蓑毛ユニット３０と、蓑毛固定部材４０と、を備える。
【００２１】
かつらベース１０は、例えば網状のベースであるが、樹脂などにより形成される人工皮膚であってもよい。
【００２２】
かつらベース１０は、例えば２つの開口部１１，１２を含む。
【００２３】
開口部１１，１２は、図１に示すようにかつらベース１０の周縁と分離した位置に形成してもよいし、かつらベース１０の周縁のうち、前頭部、左側頭部、右側頭部、及び後頭部の少なくとも１つに開口するように形成してもよい。或いは、開口部１１，１２は、かつらベース１０の周縁を除く全体に拡がって設けられた１つの開口部であってもよい。
【００２４】
開口部１１，１２は、かつら１の装着者の頭部の左右方向（図１でも左右方向）よりも前後方向（図１では上下方向）に長く形成されているが、開口部１１，１２の形状は特に制限されない。なお、図１の右側の開口部１２は、もう一方の開口部１１と比較して幅が狭いため、後述する蓑毛固定部材４０が配置されないが、蓑毛固定部材４０が配置されていてもよい。また、蓑毛固定部材４０が配置されない開口部１２は、省略してもよい。
【００２５】
例えば、開口部１１の大きさは、左右方向の幅及び前後方向の幅のうち少なくとも一方（或いは、短手方向の幅）が３０ｍｍ以上である。開口部１１は、かつら１を装着する装着者の頭髪を引き出すためのものであってもよいし、単に通気のために形成してもよい。
【００２６】
図１に４本（折り返して植毛される場合、実際は２本）だけ示すベース用毛髪２０は、かつらベース１０に植毛されている。ベース用毛髪２０は、例えば、人工毛髪や人毛である。ベース用毛髪２０の植毛方法は、例えば結着であるが、接着など他の植毛方法であってもよい。
【００２７】
蓑毛ユニット３０は、例えば線状の蓑毛用ベース３１と、この蓑毛用ベース３１に取り付けられた複数の蓑毛用毛髪３２とを含み、開口部１１，１２に架け渡されている。蓑毛ユニット３０は、例えば、互いに間隔を隔てて複数個配置されている。蓑毛ユニット３０は、１個のみであってもよい。
【００２８】
蓑毛用毛髪３２は、例えば、人工毛髪や人毛である。蓑毛用毛髪３２は、図１では便宜上２本のみ図示するが、多数本配置してよい。
【００２９】
図２Ａ〜図２Ｃは、実施の形態における蓑毛ユニット３０の製造方法を説明するための説明図である。
【００３０】
図２Ａに示すように、第１の棒状部材１０１と第２の棒状部材１０２との間で蓑毛用ベース３１を架け渡す。蓑毛用ベース３１は、第１の棒状部材１０１で折り返されて両端側が第２の棒状部材１０２に固定される例えば１本のテグスである（折り返し部分を挟んで一方が第１の線材３１ａで他方が第２の線材３１ｂ）。蓑毛用ベース３１は、２本の線材ではなく、１本の線材であってもよいし、帯状部材など他のベースであってもよい。
【００３１】
なお、図２Ａ及び図２Ｂでは、第１の線材３１ａと第２の線材３１ｂとの間隔を便宜上大きく図示しているが、図２Ｃに示すように第１の線材３１ａと第２の線材３１ｂとは、ほぼ平行とすればよい。
【００３２】
蓑毛用毛髪３２の蓑毛用ベース３１に対する結び方の一例としては、図２Ａに示すように、蓑毛用毛髪３２を、下方から第１の線材３１ａと第２の線材３１ｂとの間に通し（符号３２−１参照）、第２の線材３１ｂに対し上方から跨がせ、第２の線材３１ｂの下方に通す（符号３２−２参照）。
【００３３】
次に、蓑毛用毛髪３２を、第１の線材３１ａに対し上方から跨がせ（符合３２−３参照）、再び、下方から第１の線材３１ａと第２の線材３１ｂとの間に通す（符号３２−４参照）。
【００３４】
そして、蓑毛用毛髪３２を、再び、第２の線材３１ｂに対し上方から跨がせ、第２の線材３１ｂの下方に通し（符号３２−５参照）、第２の線材３１ｂに対し上方から跨がせる（符号３２−６参照）。その後、蓑毛用毛髪３２の両端を引っ張れば、蓑毛用毛髪３２が蓑毛用ベース３１に結び付けられる。
【００３５】
このように第１の線材３１ａ及び第２の線材３１ｂに結び付けた蓑毛用毛髪３２は、図２Ｂに示すように一方（左側）に寄せていく。図２Ｃに示すように、この作業を繰り返すことで、蓑毛用ベース３１に蓑毛用毛髪３２を複数本取り付ける。この後、蓑毛ベース３１を第１の棒状部材１０１及び第２の棒状部材１０２から切り出せばよい。
【００３６】
次に、蓑毛固定部材４０について説明する。
【００３７】
図３に示すように、蓑毛固定部材４０は、この蓑毛固定部材４０の長手方向に延びる２本の縦糸４１と、この複数の縦糸４１間に架け渡された横糸４２と、を含む。蓑毛固定部材４０は、例えば、はしご状を呈する。
【００３８】
蓑毛固定部材４０は、例えば、互いに間隔を隔てて複数個配置されている。複数の蓑毛固定部材４０の間隔は、蓑毛ユニット３０の蓑毛用ベース３１の太さや蓑毛用毛髪３２の本数或いは蓑毛固定部材４０の太さなどにもよるが、例えば、５０ｍｍ以下、より望ましくは３０ｍｍ以下であるとよい。蓑毛固定部材４０は、１個のみであってもよい。
【００３９】
なお、縦糸４１は、３本以上であってもよく、また、横糸４２は、縦糸４１に対しジグザグに架け渡された１本の糸であってもよい。また、蓑毛固定部材４０としては、例えば１本の線状の部材であってもよいし、帯状の部材（例えば帯状のネット）などであってもよい。
【００４０】
蓑毛固定部材４０は、図１に示すように蓑毛ユニット３０の蓑毛用ベース３１と交差するように開口部１１に架け渡され、蓑毛ユニット３０を固定する。
【００４１】
図３に示すように、蓑毛ユニット３０（蓑毛用ベース３１）は、蓑毛固定部材４０に対し複数の固定箇所Ｓで固定されているとよい。もちろん、蓑毛ユニット３０は、１箇所の固定箇所Ｓで蓑毛固定部材４０に固定されていてもよい。蓑毛ユニット３０と蓑毛固定部材４０との固定方法は、特に制限されないが、例えば、蓑毛固定部材４０は、蓑毛ユニット３０とは独立した人工毛髪やテグスにより蓑毛ユニット３０を結び付けて固定する。
【００４２】
蓑毛ユニット３０は、図４に示すように、蓑毛用ベース３１の向きが変化するように蓑毛固定部材４０に対し固定されてもよい。その場合、図１に示すように、蓑毛用ベース３１が一直線状にならない蓑毛ユニット３０−１が形成される。
【００４３】
それに対し、図１に示す蓑毛ユニット３０−２は、蓑毛用ベース３１が一直線状になるように開口部１１に架け渡されている。
【００４４】
上述のかつら１を製造する場合には、蓑毛ユニット３０を、ベース用毛髪２０が植毛されるかつらベース１０の開口部１１に架け渡し、次に、蓑毛ユニット３０の蓑毛用ベース３１と交差するように開口部１１に架け渡した蓑毛固定部材４０により蓑毛ユニット３０を固定するとよい。
【００４５】
なお、ベース用毛髪２０のかつらベース１０に対する植毛は、蓑毛ユニット３０の開口部１１における架け渡しの前であってもよいし、蓑毛ユニット３０の開口部１１における架け渡しと蓑毛固定部材４０による蓑毛ユニット３０の固定との間であってもよいし、蓑毛固定部材４０による蓑毛ユニット３０の固定の後であってもよい。
【００４６】
また、蓑毛固定部材４０の開口部１１における架け渡しは、蓑毛ユニット３０の開口部１１における架け渡しの前であってもよい。
【００４７】
以上説明した本実施の形態では、かつら１は、かつらベース１０と、ベース用毛髪２０と、蓑毛ユニット３０と、蓑毛固定部材４０と、を備える。かつらベース１０は、開口部１１を含む。ベース用毛髪２０は、かつらベース１０に植毛されている。蓑毛ユニット３０は、蓑毛用ベース３１と蓑毛用ベース３１に植毛された複数の蓑毛用毛髪３２とを含み、開口部１１に架け渡されている。蓑毛固定部材４０は、蓑毛ユニット３０の蓑毛用ベース３１と交差するように開口部１１に架け渡され蓑毛ユニット３０を固定する。
【００４８】
そのため、蓑毛ユニット３０が蓑毛固定部材４０により固定されることで、蓑毛ユニット３０において蓑毛用毛髪３２が蓑毛用ベース３１を中心に回転するのを抑えることができる。これにより、パンチアイロンなどを用いて蓑毛用毛髪３２をセットする手間を省くことができる。
【００４９】
よって、本実施の形態によれば、かつらベース１０の開口部１１に配置された蓑毛ユニット３０を備えるかつら１において、蓑毛用毛髪３２の毛流れを簡単かつ確実に固定することができる。
【００５０】
また、本実施の形態では、蓑毛固定部材４０は、この蓑毛固定部材４０の長手方向に延びる複数（例えば２本）の縦糸４１と、複数の縦糸４１間に架け渡された横糸４２と、を含む。そのため、蓑毛ユニット３０を蓑毛固定部材４０に簡単かつ確実に固定することができる。したがって、蓑毛用毛髪３２の毛流れを確実に固定することができる。
【００５１】
また、本実施の形態では、蓑毛ユニット３０は、蓑毛用ベース３１の向きが変化するように蓑毛固定部材４０に対し固定されている。そのため、蓑毛用毛髪３２の毛流れをかつら１の位置に応じて自在に固定することができる。
【００５２】
また、本実施の形態では、蓑毛ユニット３０は、蓑毛用ベース３１が一直線状になるように開口部１１に架け渡されている。そのため、蓑毛用毛髪３２の毛流れを簡単に固定することができる。
【００５３】
また、本実施の形態では、蓑毛ユニット３０は、蓑毛固定部材４０に対し複数箇所Ｓで固定されている。そのため、蓑毛用毛髪３２の毛流れを確実に固定することができる。
【００５４】
また、本実施の形態では、蓑毛固定部材４０は、互いに間隔を隔てて複数個配置されている。そのため、開口部１１が大きくとも蓑毛用毛髪３２の毛流れを確実に固定することができる。
【００５５】
また、本実施の形態では、蓑毛ユニット３０は、互いに間隔を隔てて複数個配置されている。そのため、複数の蓑毛ユニット３０の蓑毛用毛髪３２の毛流れを簡単かつ確実に固定することができる。
【符号の説明】
【００５６】
１      かつら
１０      かつらベース
１１      開口部
１２      開口部
２０      ベース用毛髪
３０      蓑毛ユニット
３１      蓑毛用ベース
３１ａ      第１の蓑毛用ベース
３１ｂ      第２の蓑毛用ベース
３２      蓑毛用毛髪
４０      蓑毛固定部材
４１      縦糸
４２      横糸
１０１      第１の棒状部材
１０２      第２の棒状部材
Ｓ      固定箇所
【図１】
2014159656.tif 000003
【図２Ａ】
2014159656.tif 000004
【図２Ｂ】
2014159656.tif 000005
【図２Ｃ】
2014159656.tif 000006
【図３】
2014159656.tif 000007
【図４】
2014159656.tif 000008